(57)【要約】【課題】回折格子の位置を簡易な構造で調整できる光ピックアップ装置等を提供する。【解決手段】本発明では、ハウジング１２を部分的に窪ませた収納領域１３に回折格子３０を収納させており、その内部では、回折格子３０は、ハウジング１２の樹脂部分の一部である第１接触部２３、第２接触部２５および第３接触部２７により三点支持される。これにより、回折格子３０は、収納領域１３の内部で、回転調整が可能な状態でＤｔ方向に関して位置が固定される。【選択図】図３
2014235764.tif 000002
【特許請求の範囲】
【請求項１】
ハウジングと、
前記ハウジングに収納されてレーザー光を放射する発光素子と、
前記発光素子から放射された前記レーザー光を所定の次数の回折光に分離する回折格子と、を備え、
前記回折格子は、前記レーザー光が入射する第１主面と、前記第１主面に対向する第２主面と、前記第１主面と前記第２主面とを繋ぐと共に前記ハウジングの厚み方向で対向する第１側面および第２側面と、前記第１主面と前記第２主面とを繋ぐと共に他方向で対向する第３側面および第４側面と、を有し、
前記ハウジングは、前記回折格子の前記第２主面と前記第３側面との間の接続線に接触する第１接触部と、前記回折格子の前記第２主面と前記第４側面との間の接続線に接触する第２接触部と、前記第１側面または前記第２側面に接触する第３接触部と、を有することを特徴とする光ピックアップ装置。
【請求項２】
前記第１接触部と前記第２接触部には、前記回折格子の角部が圧入されることを特徴とする請求項１に記載の光ピックアップ装置。
【請求項３】
前記第３接触部の前記回折格子に接触する部分は、断面視で曲面形状を呈することを特徴とする請求項１または請求項２に記載の光ピックアップ装置。
【請求項４】
前記回折格子に接触する前記第１接触部の先端部はその中間部よりも細く、
前記回折格子に接触する前記第２接触部の先端部はその中間部よりも細いことを特徴とする請求項１から請求項３の何れかに記載の光ピックアップ装置。
【請求項５】
レーザー光を放射する発光素子をハウジングに組み込む第１工程と、
前記レーザー光が入射する第１主面と、前記第１主面に対向する第２主面と、前記第１主面と前記第２主面とを繋ぐと共に前記ハウジングの厚み方向で対向する第１側面および第２側面と、前記第１主面と前記第２主面とを繋ぐと共に他方向で対向する第３側面および第４側面と、を有し、前記レーザー光を所定の回折光に分離する回折格子を、前記ハウジングに組み込む第２工程と、
前記回折格子を回転調整する第３工程と、を備え、
前記第２工程では、前記回折格子の前記第２主面と前記第３側面との接続線を前記ハウジングの第１接触部に接触させ、前記第２主面と前記第４側面との接続線を前記ハウジングの第２接触部に接触させ、前記第１側面または前記第２側面を前記ハウジングの第３接触部に接触させることを特徴とする光ピックアップ装置の製造方法。
【請求項６】
前記第２工程では、前記回折格子の角部を前記第１接触部および前記第２接触部に食い込ませることを特徴とする請求項５に記載の光ピックアップ装置の製造方法。
【発明の詳細な説明】
【技術分野】
【０００１】
本発明は、回折格子と発光素子とを備えた光ピックアップ装置およびその製造方法に関する。
【背景技術】
【０００２】
図６を参照して、従来から存在する光ピックアップ装置１００の構成を説明する。光ピックアップ装置１００は、樹脂材料等を所定形状に成形したハウジング１０２に複数の光学素子が収納されている。ハウジング１０２の上面には、基板１０４と、コネクタ１０６、対物レンズ１０８を保持するアクチュエータ１０８が配置されている。光ピックアップ装置１００は、ハウジング１０２に内蔵された発光素子から放射されたレーザー光を、対物レンズ１１０を経由して光ディスクに照射し、光ディスクで反射したレーザー光を受光素子で読み取ることで、光ディスクからの情報の読み出しまたは書き込みを行う（特許文献１）。
【０００３】
また、上記した光ピックアップ装置１００では、トラッキングサーボおよびフォーカスサーボを行うために、レーザー光を放射する発光素子の近傍に回折格子が配置され、この回折格子によりレーザー光が複数の回折光に分離される。
【先行技術文献】
【特許文献】
【０００４】
【特許文献１】特開２００３−２２８８６６号公報
【発明の概要】
【発明が解決しようとする課題】
【０００５】
従来では、回折格子の分割線とレーザー光との位置調整を行うために、発光素子の位置を固定した後に回折格子を平行移動させ、その後に回折格子を回転調整していた。よって、回転調整後に分割線とレーザー光との位置がずれることが有り、このような場合は平行移動と回転調整とを繰り返し行う必要があった。
【０００６】
また、従来では、回転調整等を容易にするために、回折格子はフォルダーに内蔵されてハウジングに収納されており、このことが部品点数の増加を招いていた。
【０００７】
本発明はこの様な問題点を鑑みて成されたものであり、本発明の目的は、回折格子の位置を簡易な構造で調整できる光ピックアップ装置およびその製造方法を提供することに有る。
【課題を解決するための手段】
【０００８】
本発明の光ピックアップ装置は、ハウジングと、前記ハウジングに収納されてレーザー光を放射する発光素子と、前記発光素子から放射された前記レーザー光を所定の次数の回折光に分離する回折格子と、を備え、前記回折格子は、前記レーザー光が入射する第１主面と、前記第１主面に対向する第２主面と、前記第１主面と前記第２主面とを繋ぐと共に前記ハウジングの厚み方向で対向する第１側面および第２側面と、前記第１主面と前記第２主面とを繋ぐと共に他方向で対向する第３側面および第４側面と、を有し、前記ハウジングは、前記回折格子の前記第２主面と前記第３側面との間の接続線に接触する第１接触部と、前記回折格子の前記第２主面と前記第４側面との間の接続線に接触する第２接触部と、前記第１側面または前記第２側面に接触する第３接触部と、を有することを特徴とする。
【０００９】
本発明の光ピックアップ装置の製造方法は、レーザー光を放射する発光素子をハウジングに組み込む第１工程と、前記レーザー光が入射する第１主面と、前記第１主面に対向する第２主面と、前記第１主面と前記第２主面とを繋ぐと共に前記ハウジングの厚み方向で対向する第１側面および第２側面と、前記第１主面と前記第２主面とを繋ぐと共に他方向で対向する第３側面および第４側面と、を有し、前記レーザー光を所定の回折光に分離する回折格子を、前記ハウジングに組み込む第２工程と、前記回折格子を回転調整する第３工程と、を備え、前記第２工程では、前記回折格子の前記第２主面と前記第３側面との接続線を前記ハウジングの第１接触部に接触させ、前記第２主面と前記第４側面との接続線を前記ハウジングの第２接触部に接触させ、前記第１側面または前記第２側面を前記ハウジングの第３接触部に接触させることを特徴とする。
【発明の効果】
【００１０】
本発明の光ピックアップ装置によれば、回折格子の角部をハウジングの第１接触部および第２接触部で支持し、回折格子の側面を第３接触部で支持している。よって、回折格子はこれらの接触部で回転可能な状態でハウジングに仮止めされ、後の回転調整が容易となる。更に、回折格子が直にハウジングに固着されるので、回折格子をハウジングに備えるための専用のフォルダが不要となり光ピックアップ装置に必要とされる部品の点数が削減される。
【図面の簡単な説明】
【００１１】
【図１】本発明の光ピックアップ装置を示す図であり、（Ａ）は対物レンズが露出する側を上面とした光ピックアップ装置を示す斜視図であり、（Ｂ）は表裏逆にした状態の光ピックアップ装置を示す斜視図である。
【図２】本発明の光ピックアップ装置に組み込まれる光学系を示す図である。
【図３】本発明の光ピックアップ装置を示す図であり、（Ａ）は回折格子が組み込まれる部分のハウジングを示す斜視図であり、（Ｂ）はこの部分をＤｒ方向に見た断面図であり、（Ｃ）はこの部分をＤｆ方向に見た図である。
【図４】本発明の光ピックアップ装置を示す図であり、（Ａ）は発光素子を支持する固着板がハウジングに備えられる構造を示す斜視図であり、（Ｂ）は固着板が備えられる部分を拡大して示す斜視図であり、（Ｃ）はこの部分の断面図である。
【図５】本発明の光ピックアップ装置の製造方法を示すフローチャートである。
【図６】背景技術の光ピックアップ装置を示す斜視図である。
【発明を実施するための形態】
【００１２】
図１を参照して、本形態の光ピックアップ装置１０を説明する。図１（Ａ）は対物レンズが露出する面を上面とした場合の光ピックアップ装置１０を示す斜視図であり、図１（Ｂ）は図１（Ａ）の状態を表裏逆とした光ピックアップ装置を示す斜視図である。
【００１３】
本形態では、Ｄｔ、Ｄｒ、Ｄｆの各方向を用いて説明する。Ｄｔ方向はタンジェンシャル方向、Ｄｒ方向はラジアル方向、Ｄｆ方向はフォーカス方向であり、これらの各方向は互いに直交している。
【００１４】
図１を参照して、光ピックアップ装置１０は、ＤＶＤ（Digital Versatile Disk）およびＣＤ（Compact Disk）規格のレーザー光を、対応する規格の光ディスク（情報記録媒体）の情報記録層に合焦させ、この情報記録層からの反射光を受光して電気信号に変換する機能を備えている。これにより、光ディスクからの情報の読み出しや、光ディスクへの情報の書き込みが行われる。ここで、光ピックアップ装置１０は必ずしもこれら２種類の規格のレーザー光に対応する必要はない。これらに加えてＢＤ（Blu-ray（登録商標） Disc）規格のレーザー光に対応しても良いし、これらの何れかの規格のみに対応しても良い。
【００１５】
光ピックアップ装置１０は、ハウジング１２と、このハウジング１２に組み込まれた各種光学素子を備えている。また、ハウジング１２には、対物レンズ２６を移動可能に保持するアクチュエータ１８が組み込まれている。
【００１６】
ハウジング１２は、射出成形で一体的に形成された樹脂材料から成り、光学素子や電子部品を収納可能な収納領域が内部に形成されている。ハウジング１２を構成する樹脂材料としてはポリカーボネート、変性ＰＰＥ、ＡＢＳ、ＰＰＳ樹脂等が採用される。ハウジング１２の一部には、ターンテーブルが近接するエリアに湾曲部が設けられている。そしてこの湾曲部を挟む様に、その両端部分には、ガイド孔１４とガイド溝１６が設けられている。使用状況下に於いては、ガイド孔１４にはガイド軸が挿通され、ガイド溝１６には別のガイド軸が係合される。光ピックアップ装置１０は、これらのガイド軸に沿って移動する。本形態では、ハウジング１２は、射出成形された樹脂ハウジング部と、この樹脂ハウジング部に組み込まれた金属プレートから構成されている。
【００１７】
図１（Ａ）を参照して、対物レンズ２６が露出するハウジング１２の上面は大部分がカバー１１で被覆されている。カバー１１は厚みが０．１ｍｍ程度の金属板を所定形状に曲折加工したものであり、その周囲はハウジング１２の側面に設けた凸状部位に嵌合している。また、カバー１１は、その孔部を貫通するネジ３１を経由してハウジング１２に結合されている。一方、ハウジング１２の上面であって対物レンズ２６が露出する領域は、レーザー光の照射を可能とするために、カバー１１では被覆されていない。具体的には、対物レンズ２６を所定の位置に保持するアクチュエータ１８は、対物レンズ２６を保持する箱状のホルダ２４と、このホルダ２４を複数の支持ワイヤ２２を経由して弾性的に支持する支持部２０とから構成されている。
【００１８】
本形態では、ハウジング１２には固着板１５が組み込まれており、この固着板１５は不図示の発光素子を固定するためのものである。ここでは、ハウジング１２の上面がカバー１１で被覆されているので視認されず、固着板１５が配置される領域を点線で示している。更に、固着板１５の近傍には回折格子を収納するための収納領域１３が配置されている。
【００１９】
図１（Ｂ）を参照して、光ピックアップ装置のハウジング１２は、その大部分を占める樹脂ハウジング部４８と、底部の一部を構成する金属プレート５０から成る。また、ハウジング１２の紙面上での左右両端部にはガイド溝１６とガイド孔１４が設けられており、これらも樹脂ハウジング部４８の一部として構成されている。更に、ハウジング１２に内蔵される光学素子と電気的に接続された配線シート２９が外部に導出している。
【００２０】
ここで上記した収納領域１３は、−Ｄｆ側からハウジング１２の樹脂ハウジング部４８を凹状にした領域であり、この領域に回折格子が収納される。この事項は、図３を参照して後述する。
【００２１】
図２を参照して、光ピックアップ装置１０に内蔵される光学素子を説明する。光ピックアップ装置１０は、発光素子２８と、回折格子３０と、ハーフミラー３２と、コリメータレンズ３８と、立ち上げミラー４０と、１／４波長板３６と、ＡＳ板４２と、ＰＤＩＣ４４と、ＦＭＤ３４とを主要に備えている。
【００２２】
発光素子２８は、１つまたは複数のレーザーチップを内蔵し、このレーザーチップの発光点から上記した各規格のレーザー光を放射する。
【００２３】
回折格子３０は、発光素子２８から放射された各レーザー光を、０次回折光、＋１次回折光及び−１次回折光に分離する。
【００２４】
ハーフミラー３２は、発光素子２８から放射されて回折格子３０等を経由する往路のレーザー光を反射する一方、光ディスクにより反射された復路のレーザー光（戻り光）を透過させる。
【００２５】
１／４波長板３６は、ハーフミラー３２で反射されたレーザー光を直線偏光光から円偏光光に変換する作用を有し、逆に光ディスクにて反射された戻り光を円偏光光から直線偏光光に変換する。
【００２６】
コリメータレンズ３８は、ハーフミラー３２にて反射されたレーザー光を平行光にする。
【００２７】
立ち上げミラー４０は、コリメータレンズ３８を透過したレーザー光を、対物レンズの側に反射する働きを有する。
【００２８】
ＰＤＩＣ４４は、各規格のレーザー光を検出すると共に、フォーカスサーボ用およびトラッキングサーボに用いられる。
【００２９】
ＦＭＤ３４（front monitor diode）は、発光素子２８から放射されてハーフミラー３２を透過したレーザー光を検出する。
【００３０】
ＬＤＤ４６（laser diode driver）は、ＦＭＤ３４の出力を受けて、発光素子２８から放射されるレーザー光の強度を調整する。
【００３１】
ＡＳ板４２は、ハーフミラー３２を透過する戻り光のレーザー光に対して収差を付与する。
【００３２】
次に、以上のように構成された光ピックアップ装置１０の読み出し動作および書き込み動作を説明する。各規格の読み出しおよび書き込みで用いられるレーザー光の光路は以下の様に同一である。
【００３３】
先ず、発光素子２８から放射されたレーザー光は、回折格子３０を通過することで０次回折光、＋１次回折光および−１次回折光に分離される。これは、ＰＤＩＣ４４を用いてサーボを行うためである。回折格子３０を通過したレーザー光は、ハーフミラー３２にて反射され、その後、レーザー光は、１／４波長板３６で円偏光光に変換された後に、コリメータレンズ３８により平行光に変換され、立ち上げミラー４０で反射されて光ディスクに対して垂直方向に進行する。その後、不図示の対物レンズが有する屈折作用や回折作用により、光ディスクの信号記録面に合焦する。
【００３４】
ディスクの信号記録面で反射されたレーザー光（戻り光）は、対物レンズ、立ち上げミラー４０、コリメータレンズ３８を経て１／４波長板３６を通過することで、往路とは偏光方向が異なる直線偏光光に変換される。具体的には、往路で円偏光光とされたレーザー光がディスクの情報記録層で反射されることで偏光方向が逆となり、この状態の円偏光光が復路で１／４波長板３６を通過して直線偏光光とされることで、偏光方向が変換される。次に、直線偏光光となったレーザー光は、ハーフミラー３２を透過してＡＳ板４２を透過することで収差の付与および補正が行われた後に、ＰＤＩＣ４４の受光面に照射される。ＰＤＩＣ４４は、情報の読み出しを行うと共に、フォーカスサーボおよびトラッキングサーボの為の信号を出力する。
【００３５】
また、発光素子２８から放射される往路のレーザー光の一部は、ハーフミラー３２を透過してＦＭＤ３４に照射される。ＬＤＤ４６はＦＭＤ３４に照射されたレーザー光の強度に基づいて、発光素子２８から放射されるレーザー光が所定の強度となるように調整する。
【００３６】
以上が光ピックアップ装置１０の光学的な構成および動作の説明である。
【００３７】
図３を参照して、回折格子３０がハウジング１２に収納される構造を説明する。図３（Ａ）は回折格子３０が収納される収納領域１３を示す斜視図であり、図３（Ｂ）はこの部分をＤｒ方向に見た断面図であり、図３（Ｃ）はこの部分をＤｆ方向に見た断面図である。
【００３８】
図３（Ａ）を参照して、回折格子３０は収納領域１３に収納されてその位置が固定されている。収納領域１３は、ハウジング１２をＤｆ方向に窪ませた凹状の部分であり、その大きさは収納される回折格子３０よりも若干大きく形成されている。また、収納領域１３は、平面視で、Ｄｔ方向およびＤｒ方向の両方に対して伸びる略十字形状を呈している。収納領域１３がこのような略十字形状を呈する理由は、回折格子３０を収納領域１３に収納させた後に、回折格子３０を回転方向に対して移動調整する必要があり、この調整に用いるジグが挿入可能なスペースを確保するためである。また、発光素子２８から放射されるレーザー光の光路を確保するために、＋Ｄｒ方向および−Ｄｒ方向を向く収納領域１３の側面は開口されている。
【００３９】
ここで、回折格子３０はガラス等の透光材料から成り、＋Ｄｒ方向を向く主面と、−Ｄｒ方向を向く主面と、これらの主面を繋ぐ４つの側面を有する。即ち、回折格子３０は、概略的に六面体構造を呈している。また、−Ｄｒ側の主面または＋Ｄｒ側の主面に回折構造が設けられている。更に、回折格子３０の−Ｄｒ側の主面には、−Ｄｔ側の回折構造と、＋Ｄｔ側の回折構造との境界である分割線３０ＡがＤｆ方向と略並行に設けられている。
【００４０】
図３（Ｂ）および図３（Ｃ）を参照して、上記した収納領域１３に収納された回折格子３０は、ハウジング１２の樹脂部分の一部である第１接触部２３、第２接触部２５および第３接触部２７により三点支持される。これにより、回折格子３０は、収納領域１３の内部で、回転調整が可能な状態でＤｔ方向に関して位置が固定される。
【００４１】
これらの接触部の構造を説明する。第１接触部２３および第２接触部２５は、Ｄｔ方向に関して回折格子３０の位置決めを行うための部位である。第１接触部２３は、回折格子３０の−Ｄｒ側の主面と−Ｄｔ側の側面との間の接続線に接触する。具体的には、第１接触部２３の先端に設けられた傾斜する面が、回折格子３０の−Ｄｒ側の主面と−Ｄｔ側の側面との間の接続線に接触している。一方、第２接触部２５は、回折格子の−Ｄｒ側の主面と＋Ｄｔ側の側面との間の接続線に接触している。ここでも、第２接触部２５の先端に設けた傾斜面が、この接続線に接触している。このように、第１接触部２３と第２接触部２５が、回折格子３０の接続線（角部）に接触し、回折格子３０がＤｔ方向に対して位置固定され、且つ、後述する回折格子３０の回転調整が可能となる。
【００４２】
更に、第１接触部２３および第２接触部２５は、上記した各接続線の中央を含む部分の回折格子３０に接触しており、これにより上記した各接触部で仮止めされた状態の回折格子３０を回転させても、回折格子３０の中心位置は殆ど変位しない。よって、回折格子３０を回転調整しても、分割線３０Ａとレーザー光との位置がずれることは基本的にない。また、この場合は、分割線３０Ａの中央付近にレーザー光が照射されても良い。
【００４３】
更に、製造工程では、ガラスから成る硬い回折格子３０が収納領域１３に圧入される。これにより、図３（Ｃ）を参照して、第１接触部２３と第２接触部２５の先端に設けた傾斜部に、回折格子３０の角部が食い込む。従って、この食い込みの作用により、回折格子３０を＋Ｄｒ側に押す不勢力が発生し、回折格子３０の＋Ｄｒ側の主面の両端部付近が、ハウジングの当接部３３に接触する。これにより、回折格子３０のＤｒ方向での位置決めが行われる。
【００４４】
また、図３（Ｂ）を参照して、回折格子３０に接触する第１接触部２３および第２接触部２５の先端部は中間部分よりも細く形成されている。これにより、第１接触部２３および第２接触部２５が回折格子３０を実質的に点で支持することになり、これらの支持部で回折格子３０を挟持した後に回折格子３０を回転調整することが可能となる。
【００４５】
第３接触部２７は、図３（Ｂ）を参照して、回折格子３０の−Ｄｆ側の側面に接触する部位であり、これにより回折格子３０のＤｆ方向での位置が決定する。更に、第３接触部２７は、Ｄｔ方向に関して回折格子３０の中央に接触しおり、これによりバランス良く回折格子３０を支持することが出来る。第３接触部２７の上端の断面は、上部に凸となるように湾曲する形状（例えば半円形状）を呈している。即ち、第３接触部２７は所謂かまぼこ型の形状である。これにより、第３接触部２７が回折格子３０の下面と接触する部分がＤｒ方向に伸びる線となり、線接触と成る。これにより、第３接触部２７に回折格子３０を当接した後に、回折格子３０を回転調整することが可能となる。ここで仮に、第３接触部２７の上端が全面的に平面であり、第３接触部２７と回折格子３０との接触が面接触であれば、第３接触部２７に回折格子３０を当接させた後の、回折格子３０の回転調整が容易でない。尚、実際の製品では回折格子３０は接着剤を介してハウジング１２に固定されている。
【００４６】
図４を参照して、発光素子がハウジングに組み込まれる構造を説明する。図４（Ａ）は発光素子を支える固着板１５がハウジング１２に備えられる構成を示す斜視図であり、図４（Ｂ）は固着板１５が備えられる部分を拡大して示す斜視図であり、図４（Ｃ）は同箇所のＤｒ方向を向く断面図である。
【００４７】
図４（Ａ）を参照して、ハウジング１２は底面と側壁部から成る収納領域が形成されており、各種光学素子はこの底面と側壁部に囲まれる収納領域に固着されることで、各素子同士の相対的な位置が固定される。この収納領域は−Ｄｆ方向に開放されており、ハーフミラー等の光学素子はこの開放側から組み込まれている。
【００４８】
本形態ではこの収納領域の一つに固着板１５が固着されており、発光素子２８はこの固着板１５を経由してハウジング１２に固定されている。また、図４に示した回折格子３０が収納される収納領域１３は固着板１５の直近に配置されている。
【００４９】
図４（Ｂ）を参照して、先ず、固着板１５はアルミニウム等の金属材料から成る板状の部材であり、ハウジング１２の収納領域に収納されている。固着板１５の材料として金属を採用することにより、実装される発光素子が動作時に発する熱を、固着板１５を経由して良好に外部に放出できる。
【００５０】
ここで、固着板１５の為の収納領域は、Ｄｔ方向に関して固着板１５よりも若干大きく形成されている。これによりハウジング１２に固着板１５を組み込んだ後に、固着板１５をＤｔ方向に対して調整の為に移動させることが可能となる。ここで、ハウジング１２に組み込まれた状態では、固着板１５の主面は回折格子３０の分割線３０Ａと略直行している。
【００５１】
発光素子２８は、固着板１５の＋Ｄｆ側の主面に接着剤等を介して固着されている。発光素子２８は、発光チップ４１を樹脂パッケージ化したものであり、発光チップ４１が露出する面が回折格子３０の側を向くように、固着板１５に固着されている。また、発光チップ４１の各電極と電気的に接続された複数のリード４３が、ハウジング１２の外部側壁部の一部を欠いた切り欠き部から外側へ導出している。本形態では、レーザー光を放射させる発光チップ４１の発光源をＤｔ方向に沿って移動させることで、回折格子３０の分割線とレーザー光との位置あわせを行なっているが、発光源の移動は固着板１５を移動させることで行なっている。
【００５２】
固着板１５には、Ｄｔ方向に関して発光素子２８を挟むように、２つの貫通孔３７Ａ、３７Ｂが設けられている。貫通孔３７Ａは発光素子２８よりも＋Ｄｔ側で固着板１５を貫通して設けられており、Ｄｔ方向に沿って長細に形成されている。同様に、貫通孔３７Ｂは発光素子２８よりも−Ｄｔ側で固着板１５を貫通して設けられており、Ｄｔ方向に沿って長細に形成されている。貫通孔３７Ａ、３７ＢがＤｔ方向に沿って長細に形成される理由は、固着板１５をハウジング１２に組み込んだ後に、Ｄｔ方向に沿って固着板１５に固着された発光素子２８を移動させるためである。
【００５３】
固着板１５の貫通孔３７Ａには、ハウジング１２の樹脂部分をＤｆ方向に突起させた突起部３５Ａが挿入されている。突起部３５ＡのＤｒ方向の大きさは貫通孔３７Ａと略同一であり、突起部３５ＡのＤｔ方向の大きさは貫通孔３７Ａよりも小さい。よって、このような大きさの突起部３５Ａを貫通孔３７Ａに貫通させると、固着板１５はハウジング１２に対してＤｒ方向に対して固定され、且つ、Ｄｔ方向に移動可能な状態となる。
【００５４】
同様に、固着板１５の貫通孔３７Ｂには突起部３５Ｂが挿入されている。また、突起部３５ＢはＤｒ方向に関して貫通孔３７Ｂと同等の大きさであり、Ｄｔ方向に関して突起部３５Ｂは貫通孔３７Ｂよりも小さい。従って、固着板１５はハウジング１２に対してＤｒ方向に対して固定され、且つ、Ｄｔ方向に移動可能な状態となる。
【００５５】
ここで、突起部３５Ａは平面視で円形を呈する一方、突起部３５ＢはＤｔ方向に沿って長細に形成されている。突起部３５Ｂが長細を呈することにより、固着板１５の平面視での位置をより強固に固定することが出来る。尚、実際の製品では固着板１５は接着剤を介してハウジング１２に固着されている。
【００５６】
図４（Ｃ）を参照して、ハウジング１２の底面部分の一部を＋Ｄｆ方向に突出させて２つの主面支持部３９Ａ、３９Ｂが設けられており、これらの部位の上面は同じレベルで平坦面を形成している。固着板１５の下面のＤｔ方向の両端部付近は、主面支持部３９Ａ、３９Ｂに接触している。固着板１５の下面に固着された発光素子２８のＤｆ方向に関する位置は、この接触により固定されている。
【００５７】
図５のフローチャートおよび上記した各図を参照して、上記した構成の光ピックアップ装置１０を製造する方法を、発光素子と回折格子との位置あわせを中心に説明する。
【００５８】
先ず、図３を参照して、ハウジング１２の収納領域１３に回折格子３０を組み込む（ステップＳ１０）。具体的には、略六面体形状を呈する回折格子３０を、＋Ｄｆ側から回折格子３０に挿入する。ここで、回折格子３０が収納領域１３に挿入させる際には、図３（Ｃ）に示すように、回折格子３０の角部が、第１接触部２３および第２接触部２５の先端部に形成された傾斜面に食い込む。これにより、回折格子がＤｔ方向に関して固定される。また、これにより＋Ｄｒ方向の不勢力が生じ、回折格子３０のＤｒ側の主面の両端が当接部３３に接触する。よって、回折格子３０がＤｒ方向に対して固定される。また、図３（Ｂ）を参照して、回折格子３０の−Ｄｆ側の面が第３接触部２７に当接するまで、回折格子３０は収納領域１３に押し込まれる。これにより、回折格子３０はＤｆ方向に対して固定される。ここで、本工程での回折格子３０の固定は強固なものではなく、後の回転調整を許容する程度の仮止めである。
【００５９】
次に、図４を参照して、ハウジング１２に発光素子を組み込む（ステップＳ１１）。上記したように、発光チップ４１を樹脂パッケージ化した発光素子２８は接着剤を介して固着板１５に固着した状態で用意される。ここでは、発光素子２８を下面に備えた状態の固着板１５をハウジング１２の配置領域に収納する。そして、固着板１５が有する貫通孔３７Ａ、３７Ｂに、ハウジング１２の樹脂部分を突起させた突起部３５Ａ、３５Ｂを挿入する。これにより、発光素子２８を有する固着板１５は、Ｄｔ方向に対して移動可能な状態でハウジング１２に仮止めされる。
【００６０】
次に、図４（Ｂ）を参照して、レーザー光と回折格子との位置あわせを行う（ステップＳ１２）。具体的には、先ず、収納領域１３に配置した回折格子３０は移動させずに、発光チップ４１から所定のレーザー光を放射させる。発光チップ４１がＤＶＤ規格およびＣＤ規格のレーザー光を放射するものである場合は、何れかの規格のレーザー光を放射させる。次に、発光チップ４１から放射されて回折格子３０により分離された回折光をモニターで確認しつつ、固着板１５の位置調整を行う。具体的には、放射されるレーザー光が、回折格子３０の分割線３０Ａと重畳するか、又は直近に配置されるように、固着板１５をＤｔ方向に移動させる。ここで、発光チップ４１がＤＶＤ規格およびＣＤ規格のレーザー光を放射する２つの発光源を有する場合は、Ｄｒ方向に回折格子３０を見た場合、この２つの発光源の中間に回折格子３０の分割線３０Ａが配置されるようにする。好適には、ＤＶＤ規格のレーザー光の発光源が、ＣＤ規格のレーザー光の発光源よりも分割線３０Ａに接近した方が良い。これにより、ＤＶＤ規格のレーザー光で回折光のバランスがより均等となる。この調整が終了した後に、接着剤を用いて固着板１５をハウジング１２に固定しても良い。
【００６１】
次に、図３を参照して、回折格子３０の回転調整を行う。具体的には、発光素子２８から放射されて回折格子３０により回折された０次光、＋１次光および−１次光が、光ディスクの法線方向に並ぶように、回折格子３０を回転させる。掛かる調整は、サーボ方式としてインライン型ＤＰＰ方式を採用する場合に特に重要である。図３（Ａ）を参照して、回折格子３０の回転調整は、調整用のジグを収納領域１３に挿入し、このジグで回折格子３０をＤｔ方向の両側から挟持して行われる。図３（Ｂ）を参照して、回折格子３０は、第１接触部２３、第２接触部２５および第３接触部２７で仮止めされており回転可能な状態である。よって、回折格子３０を挟持するジグによる回転調整は可能である。また、この回転は１度以下程度の軽微なものなので、この回転調整を行うことで、分割線３０Ａの位置が大きく変動することはなく、Ｄｔ方向に対する位置調整が再び必要とされることはない。
【００６２】
上記工程を経て、発光素子２８と回折格子３０との位置調整が終了となる。この調整が終了した後は、回折格子３０とハウジング１２との間にも接着剤を塗布して両者を固着する。その後にその他の光学素子をハウジング１２に収納する工程や調整工程等を経て図１に示す光ピックアップ装置１０が完成する。
【００６３】
上記した本実施の形態は例えば以下のように変更可能である。
【００６４】
図３（Ｂ）を参照して、第３接触部２７の上端部は湾曲形状であるが、上方に突起する他の形状（例えば、鈍角又は鋭角に突起する形状）でも良い。
【００６５】
図３（Ａ）を参照して、上記形態では回折格子３０を直にハウジング１２に固着したが、回折格子３０をフォルダに内蔵した状態で用意し、このフォルダをハウジング１２に固着しても良い。
【００６６】
図４を参照して、上記形態では、固着板１５を経由して発光素子２８をハウジング１２に固定したが、発光素子２８を直にハウジング１２に固着しても良い。
【００６７】
図５のフローチャートを参照して、上記の形態ではレーザー光と回折格子との位置合わせを行った後に回折格子の回転調整を行ったが、この順番を逆にしても良い。
【符号の説明】
【００６８】
１０   光ピックアップ装置
１１   カバー
１２   ハウジング
１３   収納領域
１４   ガイド孔
１５   固着板
１６   ガイド溝
１８   アクチュエータ
２０   支持部
２２   支持ワイヤ
２３   第１接触部
２４   ホルダ
２５   第２接触部
２６   対物レンズ
２７   第３接触部
２８   発光素子
２９   配線シート
３０   回折格子
３０Ａ 分割線
３１   ネジ
３２   ハーフミラー
３３   当接部
３４   ＦＭＤ
３５Ａ，３５Ｂ       突起部
３６   １／４波長板
３７Ａ、３７Ｂ       貫通孔
３８   コリメータレンズ
３９Ａ，３９Ｂ       主面支持部
４０   立ち上げミラー
４１   発光チップ
４２   ＡＳ板
４３   リード
４４   ＰＤＩＣ
４６   ＬＤＤ
４８   樹脂ハウジング部
５０   金属プレート
５２   突起部
５４   貫通孔
【図１】
2014235764.tif 000003
【図２】
2014235764.tif 000004
【図３】
2014235764.tif 000005
【図４】
2014235764.tif 000006
【図５】
2014235764.tif 000007
【図６】
2014235764.tif 000008